(57)【要約】【課題】  複数の入力セレクタに複数の入力端子を、簡単なユーザ操作のみで、自動的に割り当てること。【解決手段】  入力割当装置は、各々にコンテンツ再生装置が接続可能であり、接続されたコンテンツ再生装置からコンテンツデータが入力される複数の入力端子と、入力端子のいずれかが割り当てられる複数の入力セレクタと、入力セレクタに入力端子を割り当てる割当手段と、ユーザ操作に応じて、割当対象の入力セレクタを選択するセレクタ選択手段と、自動割当モードに移行するモード移行手段と、自動割当モードのときに、入力端子にコンテンツ再生装置が接続されたことを検出する接続検出手段とを備える。入力端子にコンテンツ再生装置が接続されたことが検出された場合、割当手段は、接続が検出された入力端子を、セレクタ選択手段が選択する入力セレクタに割り当てる。【選択図】図７
2010098549.tif 000002
【特許請求の範囲】
【請求項１】
各々にコンテンツ再生装置が接続可能であり、接続された前記コンテンツ再生装置からコンテンツデータが入力される複数の入力端子と、
前記入力端子のいずれかが割り当てられる複数の入力セレクタと、
前記入力セレクタに前記入力端子を割り当てる割当手段と、
ユーザ操作に応じて、割当対象の入力セレクタを選択するセレクタ選択手段と、
自動割当モードに移行するモード移行手段と、
前記自動割当モードのときに、前記入力端子に前記コンテンツ再生装置が接続されたことを検出する接続検出手段とを備え、
前記入力端子に前記コンテンツ再生装置が接続されたことが検出された場合、前記割当手段が、接続が検出された前記入力端子を、前記セレクタ選択手段が選択する入力セレクタに割り当てる、入力割当装置。
【請求項２】
前記接続検出手段が、前記入力端子から前記コンテンツ再生装置に対して出力されるホットプラグ信号がローレベルからハイレベルに反転したことを検出したときに、前記入力端子に前記コンテンツ再生装置が接続されたことを検出する、請求項１に記載の入力割当装置。
【請求項３】
前記入力端子に前記コンテンツ再生装置が接続されたことが検出された場合、接続が検出された前記入力端子が、前記セレクタ選択手段が選択する入力セレクタ以外の他の入力セレクタに割り当てられているか否かを判断する判断手段をさらに備え、
接続が検出された前記入力端子が、前記他の入力セレクタに割り当てられている場合、前記割当手段が、接続が検出された前記入力端子の前記他の入力セレクタへの割当を解除する、請求項１または２に記載の入力割当装置。
【請求項４】
請求項１〜３のいずれかに記載の各手段をコンピュータに実行させる、入力割当プログラム。
【発明の詳細な説明】
【技術分野】
【０００１】
本発明は、入力セレクタに入力端子を自動的に割り当てる入力割当装置及びそのプログラムに関する。
【背景技術】
【０００２】
ＡＶアンプ（または、ディスプレイ装置、以下同様。）は、複数のＨＤＭＩ入力端子（以下、入力端子という。）を備え、複数の入力端子に複数のコンテンツ再生装置（例えば、ＤＶＤプレーヤ、ＨＤＤレコーダ等）を、ＨＤＭＩケーブルを介して接続可能である。また、ＡＶアンプには、複数の入力セレクタが設けられており、各入力セレクタには、複数の入力端子のいずれかが割り当てられる。例えば、入力セレクタ１に入力端子ｉｎ１が割り当てられ、入力セレクタ２に入力端子ｉｎ２が割り当てられている場合、ユーザ操作によって、入力セレクタ１が選択されると、入力セレクタ１に割り当てられている入力端子ｉｎ１からＨＤＭＩデータが入力され、ＡＶアンプにおいて処理される。同様に、ユーザ操作によって、入力セレクタ２が選択されると、入力セレクタ２に割り当てられている入力端子ｉｎ２からＨＤＭＩデータが入力され、ＡＶアンプにおいて処理される。
【０００３】
ここで、複数の入力セレクタに複数の入力端子を割り当てる場合、ユーザは、ＡＶアンプのＯＳＤ画面を表示装置に表示させて設定する必要があるが、その操作が非常に煩雑であり、分かりにくいという問題がある。しかも、操作が煩雑であるので、誤った割り当てを実行してしまい、入力セレクタを選択しても、所望のＤＶＤプレーヤからの映像や音声を再生できなくなるという問題がある。
【０００４】
【特許文献１】特開２００３−１０９３６３号公報
【発明の開示】
【発明が解決しようとする課題】
【０００５】
本発明は上記従来の課題を解決するためになされたものであり、その目的は、複数の入力セレクタに複数の入力端子を、簡単なユーザ操作のみで、自動的に割り当てることができる入力割当装置を提供することである。
【課題を解決するための手段】
【０００６】
本発明の好ましい実施形態による入力割当装置は、各々にコンテンツ再生装置が接続可能であり、接続された前記コンテンツ再生装置からコンテンツデータが入力される複数の入力端子と、前記入力端子のいずれかが割り当てられる複数の入力セレクタと、前記入力セレクタに前記入力端子を割り当てる割当手段と、ユーザ操作に応じて、割当対象の入力セレクタを選択するセレクタ選択手段と、自動割当モードに移行するモード移行手段と、前記自動割当モードのときに、前記入力端子に前記コンテンツ再生装置が接続されたことを検出する接続検出手段とを備える。前記入力端子に前記コンテンツ再生装置が接続されたことが検出された場合、前記割当手段が、接続が検出された前記入力端子を、前記セレクタ選択手段が選択する入力セレクタに割り当てる。
【０００７】
ユーザ操作によって、割当対象の入力セレクタが選択され、自動割当モードに移行した後、ユーザ操作によって、割当対象の入力セレクタへ割り当てを所望する入力端子にコンテンツ再生装置が接続される。その結果、割当対象の入力セレクタに、コンテンツ再生装置が接続された入力端子が自動的に割り当てられる。その結果、ユーザ操作としては、割当対象の入力セレクタの選択操作と、割当を所望する入力端子へのコンテンツ再生装置の接続操作というきわめて一般的な操作のみで、所望の入力セレクタに所望の入力端子を自動的に割り当てることができる。しかも、操作が煩雑でないので、誤って割り当てる可能性を非常に低くすることができる。
【０００８】
好ましい実施形態においては、前記接続検出手段が、前記入力端子から前記コンテンツ再生装置に対して出力されるホットプラグ信号がローレベルからハイレベルに反転したことを検出したときに、前記入力端子に前記コンテンツ再生装置が接続されたことを検出する。
【０００９】
この場合、ホットプラグ信号がローレベルからハイレベルに反転することを検出するだけで、容易に入力端子にコンテンツ再生装置が接続されたことを検出することができる。
【００１０】
好ましい実施形態においては、前記入力端子に前記コンテンツ再生装置が接続されたことが検出された場合、接続が検出された前記入力端子が、前記セレクタ選択手段が選択する入力セレクタ以外の他の入力セレクタに割り当てられているか否かを判断する判断手段をさらに備え、接続が検出された前記入力端子が、前記他の入力セレクタに割り当てられている場合、前記割当手段が、接続が検出された前記入力端子の前記他の入力セレクタへの割当を解除する。
【００１１】
入力セレクタの数が入力端子の数と等しい場合、複数の入力セレクタに同一の入力端子が割り当てられると、入力セレクタに割り当てられない入力端子が存在するという問題が生じる。しかし、この場合、複数の入力セレクタに同一の入力端子が割り当てられることはないので、このような問題を解決できる。
【発明の効果】
【００１２】
複数の入力セレクタに複数の入力端子を、簡単なユーザ操作のみで、自動的に割り当てることができる。
【発明を実施するための最良の形態】
【００１３】
以下、本発明の好ましい実施形態について、図面を参照して具体的に説明するが、本発明はこれらの実施形態には限定されない。
【００１４】
図１は、ＤＶＤプレーヤ（コンテンツ再生装置）１０Ａ〜１０Ｃと、本発明の入力割当装置の機能を有するＡＶアンプ（コンテンツ受信装置）２０とを示すブロック図である。ＡＶアンプ２０と、ＤＶＤプレーヤ１０Ａ〜１０Ｃとは、例えばＨＤＭＩ規格に準拠し、ＨＤＭＩケーブルを介して相互に接続されている。また、ＡＶアンプ２０の代わりに、本発明の入力割当装置の機能を有するディスプレイ装置が採用されてもよい。本実施形態において、コンテンツとは、映像（画像）データおよび／または音声データの総称である。
【００１５】
［ＤＶＤプレーヤ１０Ａの構成］
図１を参照し、ＤＶＤプレーヤ１０Ａの構成を説明するが、ＤＶＤプレーヤ１０Ｂ、１０Ｃの構成も同様である。ＤＶＤプレーヤ１０Ａは、再生部１１Ａと、ＨＤＭＩ送信部１３Ａと、制御部１４Ａと、操作表示部１５Ａと、メモリ１６Ａと、ＨＤＭＩ出力端子（以下、出力端子という。）ｏｕｔＡとを有している。
【００１６】
再生部１１Ａは、ＤＶＤディスク（以下、ディスクという。）に記録されている映像データ及び音声データをディスクから読み出して、ＨＤＭＩ送信部１３Ａに供給する。再生部１１Ａは、図示しない光ピックアップ、サーボ回路、ＭＰＥＧデコーダ、音声デコーダ等を含む。
【００１７】
ＨＤＭＩ送信部１３Ａは再生部１１Ａから供給された映像データおよび音声データを、制御部１４Ａからの指示により、ＨＤＭＩ規格のデータ（以下、ＨＤＭＩデータという。）に変換する。ＨＤＭＩ送信部１３Ａは、ＨＤＭＩデータを出力端子ｏｕｔＡを介してＡＶアンプ２０に送信する。ＨＤＭＩ送信部１３Ａは、ＨＤＭＩデータを送受信するＴＭＤＳラインおよび接続の有無を判断するためのホットプラグラインを介して、ＡＶアンプ２０のＨＤＭＩ受信部２１に接続される。
【００１８】
制御部１４Ａは、内蔵又は接続されたメモリ１６Ａに格納されているＤＶＤプレーヤ１０Ａの動作プログラムに基づいて、再生部１１Ａ、ＨＤＭＩ送信部１３Ａ、操作表示部１５Ａ、メモリ１６Ａ等を制御するものであり、例えば、マイクロコンピュータやＣＰＵ等である。制御部１４Ａは、操作表示部１５Ａからの操作入力または各部からの制御信号およびデータに基づいて各種処理を実行する。
【００１９】
［ＡＶアンプ２０の構成］
ＡＶアンプ２０は、ＨＤＭＩ受信部２１と、ＨＤＭＩ送信部２２と、制御部２３と、操作表示部２４と、メモリ２５と、音声処理部２６と、複数のＨＤＭＩ入力端子（以下、入力端子という。）ｉｎ１〜ｉｎ３と、１又は複数のＨＤＭＩ出力端子（以下、出力端子という。）ｏｕｔとを有している。
【００２０】
入力端子ｉｎ１〜ｉｎ３には、ＤＶＤプレーヤ１０Ａ〜１０Ｃの出力端子ｏｕｔＡ〜ｏｕｔＣのいずれかがＨＤＭＩケーブルを介して接続可能である。入力端子ｉｎ１〜ｉｎ３には、接続されたＤＶＤプレーヤ１０Ａ〜１０ＣからＨＤＭＩデータが入力され、入力されたＨＤＭＩデータをＨＤＭＩ受信部２１に供給する。
【００２１】
ＨＤＭＩ受信部２１は、ＤＶＤプレーヤ１０Ａ〜１０ＣからのＨＤＭＩデータを受信して、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元の音声データを生成して、音声処理部２６に供給する。
【００２２】
ＨＤＭＩ受信部２１は、入力端子ｉｎ１〜ｉｎ３の中から、ＨＤＭＩデータを受信して処理する入力端子を１つ選択する入力セレクタとしての機能を有している。例えば、入力セレクタは、入力セレクタ１〜入力セレクタ３の３つのセレクタを含む。
【００２３】
メモリ２５には、図２〜図６に示すアサインテーブルが格納されている。アサインテーブルは、入力セレクタに対して割り当てられる入力端子を記憶、管理するテーブルである。例えば、図４においては、入力セレクタ１には入力端子ｉｎ１が割り当てられ、入力セレクタ２には入力端子ｉｎ２が割り当てられている。この場合、ユーザ操作によって、入力セレクタ１が選択された場合、入力端子ｉｎ１に入力されるＨＤＭＩデータが選択され、ＨＤＭＩ受信部２１で処理される。入力セレクタ２が選択された場合、入力端子ｉｎ２に入力されるＨＤＭＩデータが選択され、ＨＤＭＩ受信部２１で処理される。
【００２４】
ＨＤＭＩ受信部２１は、ホットプラグラインを介して、ＤＶＤプレーヤ１０Ａ〜１０ＣのＨＤＭＩ送信部１３Ａ〜１３Ｃに接続される。ホットプラグラインは、ＡＶアンプ２０の入力端子ｉｎ１〜ｉｎ３がＨＤＭＩケーブルを介してＤＶＤプレーヤ１０Ａ〜１０Ｃの出力端子ｏｕｔＡ〜ｏｕｔＣに接続されたことを、ＡＶアンプ２０からＤＶＤプレーヤ１０Ａ〜１０Ｃに通知するためのホットプラグ信号を出力するラインである。ＤＶＤプレーヤ１０Ａ〜１０Ｃは、ＡＶアンプ２０から出力されるホットプラグ信号がローレベルであれば、ＡＶアンプ２０がアクティブ（ＨＤＭＩデータを受信して処理できる状態）でない、又は、ＡＶアンプ２０が接続されていないと判断し、ホットプラグ信号がハイレベルであれば、ＡＶアンプ２０が接続されていると判断する。
【００２５】
音声処理部２６は、ＨＤＭＩ受信部２１から供給された音声データをデコードし、遅延処理、イコライザ処理、Ｄ／Ａ変換処理、音量調整処理、増幅処理等の各処理を実行し、外部に接続されたスピーカー６０に音声信号を供給する。
【００２６】
ＨＤＭＩ送信部２２は、ＨＤＭＩ受信部２１から供給された映像データを、ＨＤＭＩデータに変換する。ＨＤＭＩ送信部２２は、変換したＨＤＭＩデータを出力端子ｏｕｔを介して図示しないディスプレイ装置に送信し、ディスプレイ装置に映像を表示させる。
【００２７】
制御部２３は、メモリ２５に格納されているＡＶアンプの動作プログラム（入力割当プログラム）に基づいて、ＨＤＭＩ受信部２１、ＨＤＭＩ送信部２２、操作表示部２４、メモリ２５、音声処理部２６等を制御するものであり、例えば、マイクロコンピュータやＣＰＵ等である。制御部２３は、操作表示部２４からの操作入力または各部からの制御信号およびデータに基づいて各種処理を実行する。
【００２８】
制御部２３は、自動割当モードを有しており、自動割当モードにおいて、ユーザ操作によって選択された割当対象の入力セレクタ１〜３に対して、ＤＶＤプレーヤ１０Ａ〜１０Ｃの接続を検出した入力端子ｉｎ１〜ｉｎ３を自動的に割り当てる（すなわち、アサインテーブルに入力端子ｉｎ１〜ｉｎ３を登録する）。ＤＶＤプレーヤ１０Ａ〜１０Ｃが入力端子ｉｎ１〜ｉｎ３に接続されたことは、ＤＶＤプレーヤ１０Ａ〜１０Ｃが接続された入力端子ｉｎ１〜ｉｎ３からＤＶＤプレーヤ１０Ａ〜１０Ｃに対して出力されるホットプラグ信号がローレベルからハイレベルへ反転することを検出することによって判断することができる。
【００２９】
以下、本実施形態のＡＶアンプ２０（入力割当装置）の動作を、図７のフローチャートを参照して、説明する。制御部２３は、ユーザ操作によって、割当対象の入力セレクタが１つ選択されたか否かを判断する（Ｓ１）。割当対象の入力セレクタが選択されなければ（Ｓ１でＮＯ）、Ｓ３に進む。割当対象の入力セレクタが選択された場合（Ｓ１でＹＥＳ）、制御部２３は、選択された入力セレクタを、割当対象の入力セレクタに設定し、メモリ２５に記憶する。
【００３０】
続いて、制御部２３は、ユーザ操作によって、自動割当モードに移行する指示が入力されたか否かを判断する（Ｓ３）。自動割当モードに移行する指示が入力されなければ（Ｓ３でＮＯ）、Ｓ１に戻る。自動割当モードに移行する指示が入力された場合（Ｓ３でＹＥＳ）、制御部２３は、自動割当モードに移行し、入力端子ｉｎ１〜ｉｎ３へのＤＶＤプレーヤ１０Ａ〜１０Ｃの接続を検出するためのタイマをカウント開始する（Ｓ４）。
【００３１】
制御部２３は、自動割当モード（タイマカウント）中に、入力端子ｉｎ１〜ｉｎ３のいずれかにＤＶＤプレーヤ１０Ａ〜１０Ｃのいずれかが接続された否かを判断する。詳細には、制御部２３は、出力するホットプラグ信号がローレベルからハイレベルに反転した入力端子ｉｎ１〜ｉｎ３があるか否かを判断する（Ｓ５）。ユーザ操作によって、電源オン状態にされたＤＶＤプレーヤ１０Ａ〜１０Ｃが入力端子ｉｎ１〜ｉｎ３に接続された場合、接続された入力端子ｉｎ１〜ｉｎ３からＤＶＤプレーヤ１０Ａ〜１０Ｃに出力するホットプラグ信号がローベルからハイレベルに反転する。従って、出力するホットプラグ信号がローレベルからハイレベルに反転した入力端子ｉｎ１〜ｉｎ３を検出することによって、ＤＶＤプレーヤ１０Ａ〜１０Ｃが接続された入力端子ｉｎ１〜ｉｎ３を判断することができる。
【００３２】
ホットプラグ信号がローレベルからハイレベルに反転した入力端子ｉｎ１〜ｉｎ３がない場合（Ｓ５でＮＯ）、制御部２３は、タイマカウントが終了したか否かを判断する（Ｓ６）。タイマカウントを終了していなければ（Ｓ６でＮＯ）、Ｓ５に戻って、出力するホットプラグ信号がローレベルからハイレベルに反転した入力端子ｉｎ１〜ｉｎ３があるか否かの判断を継続する。一方、タイマカウントを終了すると（Ｓ６でＹＥＳ）、自動割当モードを終了して、処理を終了する。
【００３３】
ホットプラグ信号がローレベルからハイレベルに反転した入力端子ｉｎ１〜ｉｎ３がある場合（Ｓ５でＹＥＳ）、制御部２３は、ホットプラグ信号がローレベルからハイレベルに反転したことが検出された入力端子ｉｎ１〜ｉｎ３が他の入力セレクタ（つまり、Ｓ１で割当対象として選択された入力セレクタ以外の他の入力セレクタ）に既に割り当てられているか否かを、アサインテーブルを参照して判断する（Ｓ７）。検出された入力端子ｉｎ１〜ｉｎ３が他の入力セレクタに割り当てられていなければ（Ｓ７でＮＯ）、Ｓ９に進む。一方、検出された入力端子ｉｎ１〜ｉｎ３が他の入力セレクタに割り当てられている場合（Ｓ７でＹＥＳ）、制御部２３は、検出された入力端子ｉｎ１〜ｉｎ３の他の入力セレクタへの割り当てを解除する（Ｓ８）。すなわち、アサインテーブルにおいて、他の入セレクタに対応付けて登録されている検出された入力端子ｉｎ１〜ｉｎ３をクリアする。
【００３４】
続いて、制御部２３は、割当対象の入力セレクタに、検出された入力端子ｉｎ１〜ｉｎ３を割り当てる（Ｓ９）。つまり、アサインテーブルにおいて、割当対象の入力セレクタに対応付けて、検出された入力端子ｉｎ１〜ｉｎ３を登録する。以上の処理によって、ユーザ操作としては、（１）割当対象の入力セレクタを選択する、（２）自動割当モードに移行する指示を入力する、（３）電源オン状態にされたＤＶＤプレーヤ１０Ａ〜１０Ｃを選択した入力セレクタに割り当てる入力端子ｉｎ１〜ｉｎ３に接続するだけの非常に簡単な操作で所望の入力端子ｉｎ１〜ｉｎ３を所望の入力セレクタ１〜３に割り当てることができる。なお、ユーザ操作として、（２）を不要とし、（１）の操作によって自動割当モードに移行するようにしてもよい。
【００３５】
続いて、図２〜図６のアサインテーブルを参照し、入力セレクタへの入力端子ｉｎ１〜ｉｎ３の割り当ての具体例を説明する。まず、図２に示すように入力セレクタ１〜３にはいずれの入力端子ｉｎ１〜ｉｎ３も割り当てられていない。ここで、割当対象の入力セレクタとして入力セレクタ１が選択され、電源オン状態にされたＤＶＤプレーヤ１０Ａが入力端子ｉｎ１に接続されると、図３に示すように、入力セレクタ１に入力端子ｉｎ１が割り当てられる。
【００３６】
次に、割当対象の入力セレクタとして入力セレクタ２が選択され、電源オン状態にされたＤＶＤプレーヤ１０Ｂが入力端子ｉｎ２に接続されると、図４に示すように、入力セレクタ２に入力端子ｉｎ２が割り当てられる。
【００３７】
次に、割当対象の入力セレクタとして入力セレクタ３が選択され、電源オン状態にされたＤＶＤプレーヤ１０Ａが入力端子ｉｎ１に接続されると、図５に示すように、入力セレクタ１への入力端子ｉｎ１の割り当てが解除され、入力セレクタ３に入力端子ｉｎ１が割り当てられる。
【００３８】
次に、割当対象の入力セレクタとして入力セレクタ３が選択され、電源オン状態にされたＤＶＤプレーヤ１０Ｃが入力端子ｉｎ３に接続されると、図６に示すように、入力セレクタ３に入力端子ｉｎ３が割り当てられる（その結果、自動的に入力セレクタ３への入力端子ｉｎ１の割り当てが解除される）。
【００３９】
以上、本発明の好ましい実施形態を説明したが、本発明はこれらの実施形態には限定されない。ＡＶアンプの上記動作をコンピュータに実行させるためのプログラムおよびこれを記録した記録媒体という形態で提供されてもよい。また、ＡＶアンプの上記動作の一部のみのプログラムを、ＡＶアンプにファームウェアアップデートという形態で提供されてもよい。さらには、ＡＶアンプの上記動作の一部のみのプログラムが格納されたＣＰＵ、マイコンなどの電子部品という形態で提供されてもよい。
【産業上の利用可能性】
【００４０】
本発明は、ＡＶアンプやディスプレイ装置等に好適に採用され得る。
【図面の簡単な説明】
【００４１】
【図１】本発明の好ましい実施形態によるＤＶＤプレーヤ１０Ａ〜１０Ｃ及びＡＶアンプ２０を示すブロック図である。
【図２】アサインテーブルを示す図である。
【図３】アサインテーブルを示す図である。
【図４】アサインテーブルを示す図である。
【図５】アサインテーブルを示す図である。
【図６】アサインテーブルを示す図である。
【図７】ＡＶアンプ２０の制御部２３の処理を示すフローチャートである。
【符号の説明】
【００４２】
１０Ａ〜１０Ｃ  ＤＶＤプレーヤ
２０            ＡＶアンプ
２１            ＨＤＭＩ受信部
２２            ＨＤＭＩ送信部
２３            制御部
２４            操作表示部
２５            メモリ
２６            音声処理部
ｉｎ１〜ｉｎ３  入力端子
ｏｕｔ          出力端子
【図１】
2010098549.tif 000003
【図２】
2010098549.tif 000004
【図３】
2010098549.tif 000005
【図４】
2010098549.tif 000006
【図５】
2010098549.tif 000007
【図６】
2010098549.tif 000008
【図７】
2010098549.tif 000009